【手続補正書】
【提出日】平成18年3月24日(2006.3.24)
【手続補正１】
【補正対象書類名】特許請求の範囲
【補正対象項目名】全文
【補正方法】変更
【補正の内容】
【特許請求の範囲】
【請求項１】
データベースの表のデータを参照し、表中に新たなデータを挿入したり、表中のデータを更新したり、表中のデータを削除したりするプログラムにおいて、前段処理部分と繰り返し処理部分と後段処理部分を備えたプログラム全体を自動的に生成するデータ処理プログラム自動生成システムであって、
仕様の如何に関わらず固定の部分のプログラムとして、前段処理部分と、前記前段処理部分に続く繰り返し処理部分と、前記繰り返し処理部分に続く後段処理部分を含み、仕様によって変化する部分のプログラム断片の挿入位置として、前段処理部分内にプログラム名挿入位置と、カーソル定義文挿入位置と、作業変数定義文列挿入位置と、初期処理挿入位置とを含み、繰り返し知り部分内に出力処理文列挿入位置を含み、後段処理部分に終了処理挿入位置を含むプログラムスケルトンを、複数種類格納するための記憶装置に格納されたプログラムスケルトンライブラリと、
生成したプログラムに付与するプログラム名と、入力表の名前とその入力表の各項目の名前および型の情報を含む入力表項目定義と、セレクト文内に定義する入力表項目の名前を含むセレクト項目定義と、出力表の名前とその出力表の各項目の名前および型の情報を含む出力表項目定義と、各出力表の処理を行う条件を示す処理条件と、挿入、更新、削除の別を示す処理種別と、処理種別が更新と削除の場合に更新、削除するための条件を示す更新、削除条件と、処理種別が挿入と更新の場合に各項目の値を計算する処理式とを含む出力表処理定義と、入力表からデータを取得する際の条件を含むセレクト条件定義と、プログラムスケルトンをカスタマイズするためのその他の情報を含むプログラムカスタマイズ情報とを含む仕様を入力する仕様入力手段と、
前記仕様入力手段で入力された仕様からプログラムスケルトンをカスタマイズするための情報として、プログラム名とプログラムカスタマイズ情報を取り出すプログラムスケルトンカスタマイズ情報取得手段と、
前記仕様入力手段で入力された仕様から入力表項目定義とセレクト項目定義とセレクト条件定義を取り出すカーソル定義情報取得手段と、
前記仕様入力手段で入力された仕様から出力表項目定義と出力表処理定義を取り出す出力項目処理情報取得手段と、
前記カーソル定義情報取得手段で取得された情報からカーソル定義文を生成するカーソル定義文生成手段であって、入力表項目定義のうちセレクト項目定義内に指定された項目名だけを抜き出し、生成するプログラミング言語の構文に従った形式でセレクト項目列を生成し、入力表項目定義内に指定された入力表のうち、セレクト項目定義で使用されている入力表の名前だけを抜き出し、生成するプログラミング言語の構文に従った形式でセレクト表列を生成し、セレクト条件定義を、生成するプログラミング言語の構文に従った形式に加工してセレクト条件文を生成し、セレクト項目列挿入位置、入力表列挿入位置およびセレクト条件挿入位置を持つ、生成するプログラミング言語に依存したカーソル定義スケルトンの該当挿入位置に、前記生成したセレクト項目列、セレクト表列およびセレクト条件を挿入してカーソル定義文を生成するカーソル定義文生成手段と、
前記出力項目処理情報取得手段で取得された出力表項目定義のうち、処理種別が挿入である出力表に対応するものから作業変数定義文を生成する作業変数定義文生成手段であって、処理種別が挿入である出力表について、その出力表のレコード型を定義する型定義文を生成し、その定義された型で作業領域変数を定義する変数定義文を生成し、型定義文挿入位置および変数定義文挿入位置を持つ作業変数定義スケルトンの該当挿入位置に、前記生成した型定義文および変数定義文を挿入して作業変数定義文を生成する作業変数定義文生成手段と、
前記出力項目処理情報取得手段で取得された出力表項目定義と出力表処理定義から、処理種別が挿入の場合は処理条件文と項目計算文と挿入文とを含む出力処理文を生成し、処理種別が更新の場合には処理条件文と更新文とを含む出力処理文を生成し、処理種別が削除の場合には処理条件文と削除文とを含む出力処理文を生成する出力処理文生成手段であって、出力表処理定義の処理条件から処理条件文を生成し、出力表処理定義の処理種別が挿入、更新、削除の何れであるかを判別し、処理種別が挿入の場合、出力表処理定義の各項目の処理式から項目計算文を生成し、出力表項目定義から出力表名、項目名リストおよび変数名リストを含む挿入文を生成し、処理条件文挿入位置、項目計算文挿入位置および出力文挿入位置を持つ出力処理文スケルトンの処理条件文挿入位置に前記生成した処理条件文を、項目計算文挿入位置に前記生成した項目計算文を、出力文挿入位置に前記生成した挿入文をそれぞれ挿入して出力処理文を生成し、処理種別が更新の場合、出力表処理定義の各項目の処理式と出力表項目定義とから出力表名、更新文リストおよび更新条件を含む更新文を生成し、前記出力処理文スケルトンの処理条件文挿入位置に前記生成した処理条件文を、出力文挿入位置に前記生成した更新文をそれぞれ挿入して出力処理文を生成し、処理種別が削除の場合、出力表項目定義から出力表名および削除条件を含む削除文を生成し、前記出力処理文スケルトンの処理条件文挿入位置に前記生成した処理条件文を、出力文挿入位置に前記生成した削除文をそれぞれ挿入して出力処理文を生成する出力処理文生成手段と、
前記プログラムスケルトンライブラリから利用者の指定した１つのプログラムスケルトンを選択するプログラムスケルトン選択手段と、
前記データ処理プログラムのうち、前記プログラムスケルトン選択手段で選択されたプログラムスケルトンの該当挿入位置に、前記プログラムスケルトンカスタマイズ情報取得手段で取得したプログラム名とプログラムカスタマイズ情報と、前記カーソル定義文生成手段で生成したカーソル定義文と、前記作業変数定義文生成手段で生成した作業変数定義文と、前記出力処理文生成手段で生成した出力処理文とを挿入することによってプログラムを完成させ、出力するプログラム自動合成手段とを有するデータ処理プログラム自動生成システム。
【請求項２】
データベースの表のデータを参照し、表中に新たなデータを挿入したり、表中のデータを更新したり、表中のデータを削除したりするプログラムにおいて、前段処理部分と繰り返し処理部分と後段処理部分を備えたプログラム全体を自動的に生成するデータ処理プログラム自動生成システムであって、
仕様の如何に関わらず固定の部分のプログラムとして、前段処理部分と、前記前段処理部分に続く繰り返し処理部分と、前記繰り返し処理部分に続く後段処理部分を含み、仕様によって変化する部分のプログラム断片の挿入位置として、前段処理部分内にプログラム名挿入位置と、カーソル定義文挿入位置と、作業変数定義文列挿入位置と、初期処理挿入位置とを含み、繰り返し知り部分内に出力処理文列挿入位置を含み、後段処理部分に終了処理挿入位置を含むプログラムスケルトンを、複数種類格納するための記憶装置に格納されたプログラムスケルトンライブラリと、
生成したプログラムに付与するプログラム名と、入力表の名前とその入力表の各項目の名前および型の情報を含む入力表項目定義と、出力表の名前とその出力表の各項目の名前および型の情報を含む出力表項目定義と、各出力表の処理を行う条件を示す処理条件と、挿入、更新、削除の別を示す処理種別と、処理種別が更新と削除の場合に更新、削除するための条件を示す更新、削除条件と、処理種別が挿入と更新の場合に各項目の値を計算する処理式とを含む出力表処理定義と、入力表からデータを取得する際の条件を含むセレクト条件定義と、プログラムスケルトンをカスタマイズするためのその他の情報を含むプログラムカスタマイズ情報とを含む仕様を入力する仕様入力手段と、
前記仕様入力手段で入力された仕様からプログラムスケルトンをカスタマイズするための情報として、プログラム名とプログラムカスタマイズ情報を取り出すプログラムスケルトンカスタマイズ情報取得手段と、
前記仕様入力手段で入力された仕様から入力表項目定義とセレクト条件定義と出力表処理定義とを取り出すカーソル定義情報取得手段と、
前記仕様入力手段で入力された仕様から出力表項目定義と出力表処理定義を取り出す出力項目処理情報取得手段と、
前記カーソル定義情報取得手段で取得された入力表項目定義とセレクト条件定義と出力表処理定義とからセレクト項目定義を作成し、該作成したセレクト項目定義と前記カーソル定義情報取得手段で取得されたセレクト条件定義とからカーソル定義文を生成するカーソル定義文生成手段であって、入力表項目定義と出力表処理定義から、セレクト文内に定義する入力表項目の名前を含むセレクト項目定義を生成し、入力表項目定義のうちセレクト項目定義内に指定された項目名だけを抜き出し、生成するプログラミング言語の構文に従った形式でセレクト項目列を生成し、入力表項目定義内に指定された入力表のうち、セレクト項目定義で使用されている入力表の名前だけを抜き出し、生成するプログラミング言語の構文に従った形式でセレクト表列を生成し、セレクト条件定義を、生成するプログラミング言語の構文に従った形式に加工してセレクト条件文を生成し、セレクト項目列挿入位置、入力表列挿入位置およびセレクト条件挿入位置を持つ、生成するプログラミング言語に依存したカーソル定義スケルトンの該当挿入位置に、前記生成したセレクト項目列、セレクト表列およびセレクト条件を挿入してカーソル定義文を生成するカーソル定義文生成手段と、
前記出力項目処理情報取得手段で取得された出力表項目定義のうち、処理種別が挿入である出力表に対応するものから作業変数定義文を生成する作業変数定義文生成手段であって、処理種別が挿入である出力表について、その出力表のレコード型を定義する型定義文を生成し、その定義された型で作業領域変数を定義する変数定義文を生成し、型定義文挿入位置および変数定義文挿入位置を持つ作業変数定義スケルトンの該当挿入位置に、前記生成した型定義文および変数定義文を挿入して作業変数定義文を生成する作業変数定義文生成手段と、
前記出力項目処理情報取得手段で取得された出力表項目定義と出力表処理定義から、処理種別が挿入の場合は処理条件文と項目計算文と挿入文とを含む出力処理文を生成し、処理種別が更新の場合には処理条件文と更新文とを含む出力処理文を生成し、処理種別が削除の場合には処理条件文と削除文とを含む出力処理文を生成する出力処理文生成手段であって、出力表処理定義の処理条件から処理条件文を生成し、出力表処理定義の処理種別が挿入、更新、削除の何れであるかを判別し、処理種別が挿入の場合、出力表処理定義の各項目の処理式から項目計算文を生成し、出力表項目定義から出力表名、項目名リストおよび変数名リストを含む挿入文を生成し、処理条件文挿入位置、項目計算文挿入位置および出力文挿入位置を持つ出力処理文スケルトンの処理条件文挿入位置に前記生成した処理条件文を、項目計算文挿入位置に前記生成した項目計算文を、出力文挿入位置に前記生成した挿入文をそれぞれ挿入して出力処理文を生成し、処理種別が更新の場合、出力表処理定義の各項目の処理式と出力表項目定義とから出力表名、更新文リストおよび更新条件を含む更新文を生成し、前記出力処理文スケルトンの処理条件文挿入位置に前記生成した処理条件文を、出力文挿入位置に前記生成した更新文をそれぞれ挿入して出力処理文を生成し、処理種別が削除の場合、出力表項目定義から出力表名および削除条件を含む削除文を生成し、前記出力処理文スケルトンの処理条件文挿入位置に前記生成した処理条件文を、出力文挿入位置に前記生成した削除文をそれぞれ挿入して出力処理文を生成する出力処理文生成手段と、
前記プログラムスケルトンライブラリから利用者の指定した１つのプログラムスケルトンを選択するプログラムスケルトン選択手段と、
前記データ処理プログラムのうち、前記プログラムスケルトン選択手段で選択されたプログラムスケルトンの該当挿入位置に、前記プログラムスケルトンカスタマイズ情報取得手段で取得したプログラム名とプログラムカスタマイズ情報と、前記カーソル定義文生成手段で生成したカーソル定義文と、前記作業変数定義文生成手段で生成した作業変数定義文と、前記出力処理文生成手段で生成した出力処理文とを挿入することによってプログラムを完成させ、出力するプログラム自動合成手段とを有するデータ処理プログラム自動生成システム。
【請求項３】
前記仕様入力手段は、処理で使用する全ての入力表名と出力表名を入力し、データベースの表定義情報から当該入力表と出力表の全ての項目名と型情報を検索して取得すると共に、これを画面上に提示して仕様記述者による入力表項目定義および出力表項目定義以外の仕様情報の指定を可能とする構成を有する請求項１または２記載のデータ処理プログラム自動生成システム。
【請求項４】
前記プログラムスケルトンはデバグ用トレース文を含み、
前記プログラム自動合成手段は、デバグ用のプログラムを生成するのか、本番用のプログラムを生成するのかの別を示す生成プログラム識別情報に従って、前記プログラムスケルトン中のデバグ用トレース文を取り去るか、残すかを切りわける構成を有する請求項１、２または３記載のデータ処理プログラム自動生成システム。
【請求項５】
データベースの表のデータを参照し、表中に新たなデータを挿入したり、表中のデータを更新したり、表中のデータを削除したりするプログラムにおいて、前段処理部分と繰り返し処理部分と後段処理部分を備えたプログラム全体を自動的に生成するデータ処理プログラム自動生成方法であって、
（ａ）仕様入力手段が、生成したプログラムに付与するプログラム名と、入力表の名前とその入力表の各項目の名前および型の情報を含む入力表項目定義と、セレクト文内に定義する入力表項目の名前を含むセレクト項目定義と、出力表の名前とその出力表の各項目の名前および型の情報を含む出力表項目定義と、各出力表の処理を行う条件を示す処理条件と、挿入、更新、削除の別を示す処理種別と、処理種別が更新と削除の場合に更新、削除するための条件を示す更新、削除条件と、処理種別が挿入と更新の場合に各項目の値を計算する処理式とを含む出力表処理定義と、入力表からデータを取得する際の条件を含むセレクト条件定義と、
仕様の如何に関わらず固定の部分のプログラムとして、前段処理部分と、前記前段処理部分に続く繰り返し処理部分と、前記繰り返し処理部分に続く後段処理部分を含み、仕様によって変化する部分のプログラム断片の挿入位置として、前段処理部分内にプログラム名挿入位置と、カーソル定義文挿入位置と、作業変数定義文列挿入位置と、初期処理挿入位置とを含み、繰り返し知り部分内に出力処理文列挿入位置を含み、後段処理部分に終了処理挿入位置を含むプログラムスケルトンをカスタマイズするためのその他の情報を含むプログラムカスタマイズ情報とを含む仕様を入力するステップと、
（ｂ）プログラムスケルトンカスタマイズ情報取得手段が、ステップａで入力された仕様からプログラムスケルトンをカスタマイズするための情報として、プログラム名とプログラムカスタマイズ情報を取り出すステップと、
（ｃ）カーソル定義情報取得手段が、ステップａで入力された仕様から入力表項目定義とセレクト項目定義とセレクト条件定義を取り出すステップと、
（ｄ）出力項目処理情報取得手段が、ステップａで入力された仕様から出力表項目定義と出力表処理定義を取り出すステップと、
（ｅ）カーソル定義文生成手段が、ステップｃで取得された情報からカーソル定義文を生成するステップであって、入力表項目定義のうちセレクト項目定義内に指定された項目名だけを抜き出し、生成するプログラミング言語の構文に従った形式でセレクト項目列を生成し、入力表項目定義内に指定された入力表のうち、セレクト項目定義で使用されている入力表の名前だけを抜き出し、生成するプログラミング言語の構文に従った形式でセレクト表列を生成し、セレクト条件定義を、生成するプログラミング言語の構文に従った形式に加工してセレクト条件文を生成し、セレクト項目列挿入位置、入力表列挿入位置およびセレクト条件挿入位置を持つ、生成するプログラミング言語に依存したカーソル定義スケルトンの該当挿入位置に、前記生成したセレクト項目列、セレクト表列およびセレクト条件を挿入してカーソル定義文を生成するステップと、
（ｆ）作業変数定義文生成手段が、ステップｄで取得された出力表項目定義のうち、処理種別が挿入である出力表に対応するものから作業変数定義文を生成するステップであって、処理種別が挿入である出力表について、その出力表のレコード型を定義する型定義文を生成し、その定義された型で作業領域変数を定義する変数定義文を生成し、型定義文挿入位置および変数定義文挿入位置を持つ作業変数定義スケルトンの該当挿入位置に、前記生成した型定義文および変数定義文を挿入して作業変数定義文を生成するステップと、（ｇ）出力処理文生成手段が、ステップｄで取得された出力表項目定義と出力表処理定義から、処理種別が挿入の場合は処理条件文と項目計算文と挿入文とを含む出力処理文を生成し、処理種別が更新の場合には処理条件文と更新文とを含む出力処理文を生成し、処理種別が削除の場合には処理条件文と削除文とを含む出力処理文を生成するステップであって、出力表処理定義の処理条件から処理条件文を生成し、出力表処理定義の処理種別が挿入、更新、削除の何れであるかを判別し、処理種別が挿入の場合、出力表処理定義の各項目の処理式から項目計算文を生成し、出力表項目定義から出力表名、項目名リストおよび変数名リストを含む挿入文を生成し、処理条件文挿入位置、項目計算文挿入位置および出力文挿入位置を持つ出力処理文スケルトンの処理条件文挿入位置に前記生成した処理条件文を、項目計算文挿入位置に前記生成した項目計算文を、出力文挿入位置に前記生成した挿入文をそれぞれ挿入して出力処理文を生成し、処理種別が更新の場合、出力表処理定義の各項目の処理式と出力表項目定義とから出力表名、更新文リストおよび更新条件を含む更新文を生成し、前記出力処理文スケルトンの処理条件文挿入位置に前記生成した処理条件文を、出力文挿入位置に前記生成した更新文をそれぞれ挿入して出力処理文を生成し、処理種別が削除の場合、出力表項目定義から出力表名および削除条件を含む削除文を生成し、前記出力処理文スケルトンの処理条件文挿入位置に前記生成した処理条件文を、出力文挿入位置に前記生成した削除文をそれぞれ挿入して出力処理文を生成するステップと、
（ｈ）プログラムスケルトン選択手段が、仕様の如何に関わらず固定の部分のプログラムと仕様によって変化する部分のプログラム断片の挿入位置とを含むプログラムスケルトンを複数種類格納するプログラムスケルトンライブラリから利用者の指定した１つのプログラムスケルトンを選択するステップと、
（ｉ）プログラム自動合成手段が、  前記データ処理プログラムのうち、前記プログラムスケルトン選択手段で選択されたプログラムスケルトンの該当挿入位置に、ステップｂで取得したプログラム名とプログラムカスタマイズ情報と、前記生成したカーソル定義文と、前記生成した作業変数定義文と、前記生成した出力処理文とを挿入することによってプログラムを完成させ、出力するステップとを含むデータ処理プログラム自動生成方法。
【請求項６】
データベースの表のデータを参照、更新、削除するデータ処理プログラムを自動的に生成するデータ処理プログラム自動生成方法であって、
（ａ）仕様入力手段が、生成したプログラムに付与するプログラム名と、入力表の名前とその入力表の各項目の名前および型の情報を含む入力表項目定義と、出力表の名前とその出力表の各項目の名前および型の情報を含む出力表項目定義と、各出力表の処理を行う条件を示す処理条件と、挿入、更新、削除の別を示す処理種別と、処理種別が更新と削除の場合に更新、削除するための条件を示す更新、削除条件と、処理種別が挿入と更新の場合に各項目の値を計算する処理式とを含む出力表処理定義と、入力表からデータを取得する際の条件を含むセレクト条件定義と、
仕様の如何に関わらず固定の部分のプログラムとして、前段処理部分と、前記前段処理部分に続く繰り返し処理部分と、前記繰り返し処理部分に続く後段処理部分を含み、仕様によって変化する部分のプログラム断片の挿入位置として、前段処理部分内にプログラム名挿入位置と、カーソル定義文挿入位置と、作業変数定義文列挿入位置と、初期処理挿入位置とを含み、繰り返し知り部分内に出力処理文列挿入位置を含み、後段処理部分に終了処理挿入位置を含むプログラムスケルトンをカスタマイズするためのその他の情報を含むプログラムカスタマイズ情報とを含む仕様を入力するステップと、
（ｂ）プログラムスケルトンカスタマイズ情報取得手段が、ステップａで入力された仕様からプログラムスケルトンをカスタマイズするための情報として、プログラム名とプログラムカスタマイズ情報を取り出すステップと、
（ｃ）カーソル定義情報取得手段が、ステップａで入力された仕様から入力表項目定義とセレクト条件定義と出力表処理定義とを取り出すステップと、
（ｄ）出力項目処理情報取得手段が、ステップａで入力された仕様から出力表項目定義と出力表処理定義を取り出すステップと、
（ｅ）カーソル定義文生成手段が、ステップｃで取得された情報からカーソル定義文を生成するステップであって、入力表項目定義と出力表処理定義から、セレクト文内に定義する入力表項目の名前を含むセレクト項目定義を生成し、入力表項目定義のうちセレクト項目定義内に指定された項目名だけを抜き出し、生成するプログラミング言語の構文に従った形式でセレクト項目列を生成し、入力表項目定義内に指定された入力表のうち、セレクト項目定義で使用されている入力表の名前だけを抜き出し、生成するプログラミング言語の構文に従った形式でセレクト表列を生成し、セレクト条件定義を、生成するプログラミング言語の構文に従った形式に加工してセレクト条件文を生成し、セレクト項目列挿入位置、入力表列挿入位置およびセレクト条件挿入位置を持つ、生成するプログラミング言語に依存したカーソル定義スケルトンの該当挿入位置に、前記生成したセレクト項目列、セレクト表列およびセレクト条件を挿入してカーソル定義文を生成するステップと、
（ｆ）作業変数定義文生成手段が、ステップｄで取得された出力表項目定義のうち、処理種別が挿入である出力表に対応するものから作業変数定義文を生成するステップであって、処理種別が挿入である出力表について、その出力表のレコード型を定義する型定義文を生成し、その定義された型で作業領域変数を定義する変数定義文を生成し、型定義文挿入位置および変数定義文挿入位置を持つ作業変数定義スケルトンの該当挿入位置に、前記生成した型定義文および変数定義文を挿入して作業変数定義文を生成するステップと、
（ｇ）出力処理文生成手段が、ステップｄで取得された出力表項目定義と出力表処理定義から、処理種別が挿入の場合は処理条件文と項目計算文と挿入文とを含む出力処理文を生成し、処理種別が更新の場合には処理条件文と更新文とを含む出力処理文を生成し、処理種別が削除の場合には処理条件文と削除文とを含む出力処理文を生成するステップであって、出力表処理定義の処理条件から処理条件文を生成し、出力表処理定義の処理種別が挿入、更新、削除の何れであるかを判別し、処理種別が挿入の場合、出力表処理定義の各項目の処理式から項目計算文を生成し、出力表項目定義から出力表名、項目名リストおよび変数名リストを含む挿入文を生成し、処理条件文挿入位置、項目計算文挿入位置および出力文挿入位置を持つ出力処理文スケルトンの処理条件文挿入位置に前記生成した処理条件文を、項目計算文挿入位置に前記生成した項目計算文を、出力文挿入位置に前記生成した挿入文をそれぞれ挿入して出力処理文を生成し、処理種別が更新の場合、出力表処理定義の各項目の処理式と出力表項目定義とから出力表名、更新文リストおよび更新条件を含む更新文を生成し、前記出力処理文スケルトンの処理条件文挿入位置に前記生成した処理条件文を、出力文挿入位置に前記生成した更新文をそれぞれ挿入して出力処理文を生成し、処理種別が削除の場合、出力表項目定義から出力表名および削除条件を含む削除文を生成し、前記出力処理文スケルトンの処理条件文挿入位置に前記生成した処理条件文を、出力文挿入位置に前記生成した削除文をそれぞれ挿入して出力処理文を生成するステップと、
（ｈ）プログラムスケルトン選択手段が、仕様の如何に関わらず固定の部分のプログラムと仕様によって変化する部分のプログラム断片の挿入位置とを含むプログラムスケルトンを複数種類格納するプログラムスケルトンライブラリから利用者の指定した１つのプログラムスケルトンを選択するステップと、
（ｉ）プログラム自動合成手段が、  前記データ処理プログラムのうち、前記プログラムスケルトン選択手段で選択されたプログラムスケルトンの該当挿入位置に、ステップｂで取得したプログラム名とプログラムカスタマイズ情報と、前記生成したカーソル定義文と、前記生成した作業変数定義文と、前記生成した出力処理文とを挿入することによってプログラムを完成させ、出力するステップとを含むデータ処理プログラム自動生成方法。
【請求項７】
データベースの表のデータを参照、更新、削除するデータ処理プログラムを自動的に生成するデータ処理プログラムを自動生成するプログラムを記録した媒体であって、コンピュータを、
生成したプログラムに付与するプログラム名と、入力表の名前とその入力表の各項目の名前および型の情報を含む入力表項目定義と、セレクト文内に定義する入力表項目の名前を含むセレクト項目定義と、出力表の名前とその出力表の各項目の名前および型の情報を含む出力表項目定義と、各出力表の処理を行う条件を示す処理条件と、挿入、更新、削除の別を示す処理種別と、処理種別が更新と削除の場合に更新、削除するための条件を示す更新、削除条件と、処理種別が挿入と更新の場合に各項目の値を計算する処理式とを含む出力表処理定義と、入力表からデータを取得する際の条件を含むセレクト条件定義と、
仕様の如何に関わらず固定の部分のプログラムとして、前段処理部分と、前記前段処理部分に続く繰り返し処理部分と、前記繰り返し処理部分に続く後段処理部分を含み、仕様によって変化する部分のプログラム断片の挿入位置として、前段処理部分内にプログラム名挿入位置と、カーソル定義文挿入位置と、作業変数定義文列挿入位置と、初期処理挿入位置とを含み、繰り返し知り部分内に出力処理文列挿入位置を含み、後段処理部分に終了処理挿入位置を含むプログラムスケルトンをカスタマイズするためのその他の情報を含むプログラムカスタマイズ情報とを含む仕様を入力する仕様入力手段、
前記仕様入力手段で入力された仕様からプログラムスケルトンをカスタマイズするための情報として、プログラム名とプログラムカスタマイズ情報を取り出すプログラムスケルトンカスタマイズ情報取得手段、
前記仕様入力手段で入力された仕様から入力表項目定義とセレクト項目定義とセレクト条件定義を取り出すカーソル定義情報取得手段、
前記仕様入力手段で入力された仕様から出力表項目定義と出力表処理定義を取り出す出力項目処理情報取得手段、
前記カーソル定義情報取得手段で取得された情報からカーソル定義文を生成するカーソル定義文生成手段であって、入力表項目定義のうちセレクト項目定義内に指定された項目名だけを抜き出し、生成するプログラミング言語の構文に従った形式でセレクト項目列を生成し、入力表項目定義内に指定された入力表のうち、セレクト項目定義で使用されている入力表の名前だけを抜き出し、生成するプログラミング言語の構文に従った形式でセレクト表列を生成し、セレクト条件定義を、生成するプログラミング言語の構文に従った形式に加工してセレクト条件文を生成し、セレクト項目列挿入位置、入力表列挿入位置およびセレクト条件挿入位置を持つ、生成するプログラミング言語に依存したカーソル定義スケルトンの該当挿入位置に、前記生成したセレクト項目列、セレクト表列およびセレクト条件を挿入してカーソル定義文を生成するカーソル定義文生成手段、
前記出力項目処理情報取得手段で取得された出力表項目定義のうち、処理種別が挿入である出力表に対応するものから作業変数定義文を生成する作業変数定義文生成手段であって、処理種別が挿入である出力表について、その出力表のレコード型を定義する型定義文を生成し、その定義された型で作業領域変数を定義する変数定義文を生成し、型定義文挿入位置および変数定義文挿入位置を持つ作業変数定義スケルトンの該当挿入位置に、前記生成した型定義文および変数定義文を挿入して作業変数定義文を生成する作業変数定義文生成手段、
前記出力項目処理情報取得手段で取得された出力表項目定義と出力表処理定義から、処理種別が挿入の場合は処理条件文と項目計算文と挿入文とを含む出力処理文を生成し、処理種別が更新の場合には処理条件文と更新文とを含む出力処理文を生成し、処理種別が削除の場合には処理条件文と削除文とを含む出力処理文を生成する出力処理文生成手段であって、出力表処理定義の処理条件から処理条件文を生成し、出力表処理定義の処理種別が挿入、更新、削除の何れであるかを判別し、処理種別が挿入の場合、出力表処理定義の各項目の処理式から項目計算文を生成し、出力表項目定義から出力表名、項目名リストおよび変数名リストを含む挿入文を生成し、処理条件文挿入位置、項目計算文挿入位置および出力文挿入位置を持つ出力処理文スケルトンの処理条件文挿入位置に前記生成した処理条件文を、項目計算文挿入位置に前記生成した項目計算文を、出力文挿入位置に前記生成した挿入文をそれぞれ挿入して出力処理文を生成し、処理種別が更新の場合、出力表処理定義の各項目の処理式と出力表項目定義とから出力表名、更新文リストおよび更新条件を含む更新文を生成し、前記出力処理文スケルトンの処理条件文挿入位置に前記生成した処理条件文を、出力文挿入位置に前記生成した更新文をそれぞれ挿入して出力処理文を生成し、処理種別が削除の場合、出力表項目定義から出力表名および削除条件を含む削除文を生成し、前記出力処理文スケルトンの処理条件文挿入位置に前記生成した処理条件文を、出力文挿入位置に前記生成した削除文をそれぞれ挿入して出力処理文を生成する出力処理文生成手段、
仕様の如何に関わらず固定の部分のプログラムと仕様によって変化する部分のプログラム断片の挿入位置とを含むプログラムスケルトンを複数種類格納するプログラムスケルトンライブラリから利用者の指定した１つのプログラムスケルトンを選択するプログラムスケルトン選択手段、
前記データ処理プログラムのうち、前記プログラムスケルトン選択手段で選択されたプログラムスケルトンの該当挿入位置に、前記プログラムスケルトンカスタマイズ情報取得手段で取得したプログラム名とプログラムカスタマイズ情報と、前記カーソル定義文生成手段で生成したカーソル定義文と、前記作業変数定義文生成手段で生成した作業変数定義文と、前記出力処理文生成手段で生成した出力処理文とを挿入することによってプログラムを完成させ、出力するプログラム自動合成手段、
として機能させるプログラムを記録したコンピュータ可読記録媒体。
【請求項８】
データベースの表のデータを参照、更新、削除するデータ処理プログラムを自動的に生成するデータ処理プログラムを自動生成するプログラムを記録した媒体であって、コンピュータを、
生成したプログラムに付与するプログラム名と、入力表の名前とその入力表の各項目の名前および型の情報を含む入力表項目定義と、出力表の名前とその出力表の各項目の名前および型の情報を含む出力表項目定義と、各出力表の処理を行う条件を示す処理条件と、挿入、更新、削除の別を示す処理種別と、処理種別が更新と削除の場合に更新、削除するための条件を示す更新、削除条件と、処理種別が挿入と更新の場合に各項目の値を計算する処理式とを含む出力表処理定義と、入力表からデータを取得する際の条件を含むセレクト条件定義と、
仕様の如何に関わらず固定の部分のプログラムとして、前段処理部分と、前記前段処理部分に続く繰り返し処理部分と、前記繰り返し処理部分に続く後段処理部分を含み、仕様によって変化する部分のプログラム断片の挿入位置として、前段処理部分内にプログラム名挿入位置と、カーソル定義文挿入位置と、作業変数定義文列挿入位置と、初期処理挿入位置とを含み、繰り返し知り部分内に出力処理文列挿入位置を含み、後段処理部分に終了処理挿入位置を含むプログラムスケルトンをカスタマイズするためのその他の情報を含むプログラムカスタマイズ情報とを含む仕様を入力する仕様入力手段、
前記仕様入力手段で入力された仕様からプログラムスケルトンをカスタマイズするための情報として、プログラム名とプログラムカスタマイズ情報を取り出すプログラムスケルトンカスタマイズ情報取得手段、
前記仕様入力手段で入力された仕様から入力表項目定義とセレクト条件定義と出力表処理定義とを取り出すカーソル定義情報取得手段、
前記仕様入力手段で入力された仕様から出力表項目定義と出力表処理定義を取り出す出力項目処理情報取得手段、
前記カーソル定義情報取得手段で取得された入力表項目定義とセレクト条件定義と出力表処理定義とからセレクト項目定義を作成し、該作成したセレクト項目定義と前記カーソル定義情報取得手段で取得されたセレクト条件定義とからカーソル定義文を生成するカーソル定義文生成手段であって、入力表項目定義と出力表処理定義から、セレクト文内に定義する入力表項目の名前を含むセレクト項目定義を生成し、入力表項目定義のうちセレクト項目定義内に指定された項目名だけを抜き出し、生成するプログラミング言語の構文に従った形式でセレクト項目列を生成し、入力表項目定義内に指定された入力表のうち、セレクト項目定義で使用されている入力表の名前だけを抜き出し、生成するプログラミング言語の構文に従った形式でセレクト表列を生成し、セレクト条件定義を、生成するプログラミング言語の構文に従った形式に加工してセレクト条件文を生成し、セレクト項目列挿入位置、入力表列挿入位置およびセレクト条件挿入位置を持つ、生成するプログラミング言語に依存したカーソル定義スケルトンの該当挿入位置に、前記生成したセレクト項目列、セレクト表列およびセレクト条件を挿入してカーソル定義文を生成するカーソル定義文生成手段、
前記出力項目処理情報取得手段で取得された出力表項目定義のうち、処理種別が挿入である出力表に対応するものから作業変数定義文を生成する作業変数定義文生成手段であって、処理種別が挿入である出力表について、その出力表のレコード型を定義する型定義文を生成し、その定義された型で作業領域変数を定義する変数定義文を生成し、型定義文挿入位置および変数定義文挿入位置を持つ作業変数定義スケルトンの該当挿入位置に、前記生成した型定義文および変数定義文を挿入して作業変数定義文を生成する作業変数定義文生成手段、
前記出力項目処理情報取得手段で取得された出力表項目定義と出力表処理定義から、処理種別が挿入の場合は処理条件文と項目計算文と挿入文とを含む出力処理文を生成し、処理種別が更新の場合には処理条件文と更新文とを含む出力処理文を生成し、処理種別が削除の場合には処理条件文と削除文とを含む出力処理文を生成する出力処理文生成手段であって、出力表処理定義の処理条件から処理条件文を生成し、出力表処理定義の処理種別が挿入、更新、削除の何れであるかを判別し、処理種別が挿入の場合、出力表処理定義の各項目の処理式から項目計算文を生成し、出力表項目定義から出力表名、項目名リストおよび変数名リストを含む挿入文を生成し、処理条件文挿入位置、項目計算文挿入位置および出力文挿入位置を持つ出力処理文スケルトンの処理条件文挿入位置に前記生成した処理条件文を、項目計算文挿入位置に前記生成した項目計算文を、出力文挿入位置に前記生成した挿入文をそれぞれ挿入して出力処理文を生成し、処理種別が更新の場合、出力表処理定義の各項目の処理式と出力表項目定義とから出力表名、更新文リストおよび更新条件を含む更新文を生成し、前記出力処理文スケルトンの処理条件文挿入位置に前記生成した処理条件文を、出力文挿入位置に前記生成した更新文をそれぞれ挿入して出力処理文を生成し、処理種別が削除の場合、出力表項目定義から出力表名および削除条件を含む削除文を生成し、前記出力処理文スケルトンの処理条件文挿入位置に前記生成した処理条件文を、出力文挿入位置に前記生成した削除文をそれぞれ挿入して出力処理文を生成する出力処理文生成手段、
仕様の如何に関わらず固定の部分のプログラムと仕様によって変化する部分のプログラム断片の挿入位置とを含むプログラムスケルトンを複数種類格納するプログラムスケルトンライブラリから利用者の指定した１つのプログラムスケルトンを選択するプログラムスケルトン選択手段、
前記データ処理プログラムのうち、前記プログラムスケルトン選択手段で選択されたプログラムスケルトンの該当挿入位置に、前記プログラムスケルトンカスタマイズ情報取得手段で取得したプログラム名とプログラムカスタマイズ情報と、前記カーソル定義文生成手段で生成したカーソル定義文と、前記作業変数定義文生成手段で生成した作業変数定義文と、前記出力処理文生成手段で生成した出力処理文とを挿入することによってプログラムを完成させ、出力するプログラム自動合成手段、
として機能させるプログラムを記録したコンピュータ可読記録媒体。
【手続補正２】
【補正対象書類名】明細書
【補正対象項目名】００１４
【補正方法】変更
【補正の内容】
【００１４】
データベースの表のデータを参照し、表中に新たなデータを挿入したり、表中のデータを更新したり、表中のデータを削除したりするプログラムにおいて、前段処理部分と繰り返し処理部分と後段処理部分を備えたプログラム全体を自動的に生成する本発明のデータ処理プログラム自動生成システムは、
仕様の如何に関わらず固定の部分のプログラムとして、前段処理部分と、前記前段処理部分に続く繰り返し処理部分と、前記繰り返し処理部分に続く後段処理部分を含み、仕様によって変化する部分のプログラム断片の挿入位置として、前段処理部分内にプログラム名挿入位置と、カーソル定義文挿入位置と、作業変数定義文列挿入位置と、初期処理挿入位置とを含み、繰り返し知り部分内に出力処理文列挿入位置を含み、後段処理部分に終了処理挿入位置を含むプログラムスケルトンを、複数種類格納するための記憶装置に格納されたプログラムスケルトンライブラリと、
生成したプログラムに付与するプログラム名と、入力表の名前とその入力表の各項目の名前および型の情報を含む入力表項目定義と、セレクト文内に定義する入力表項目の名前を含むセレクト項目定義と、出力表の名前とその出力表の各項目の名前および型の情報を含む出力表項目定義と、各出力表の処理を行う条件を示す処理条件と、挿入、更新、削除の別を示す処理種別と、処理種別が更新と削除の場合に更新、削除するための条件を示す更新、削除条件と、処理種別が挿入と更新の場合に各項目の値を計算する処理式とを含む出力表処理定義と、入力表からデータを取得する際の条件を含むセレクト条件定義と、プログラムスケルトンをカスタマイズするためのその他の情報を含むプログラムカスタマイズ情報とを含む仕様を入力する仕様入力手段と、
前記仕様入力手段で入力された仕様からプログラムスケルトンをカスタマイズするための情報として、プログラム名とプログラムカスタマイズ情報を取り出すプログラムスケルトンカスタマイズ情報取得手段と、
前記仕様入力手段で入力された仕様から入力表項目定義とセレクト項目定義とセレクト条件定義を取り出すカーソル定義情報取得手段と、
前記仕様入力手段で入力された仕様から出力表項目定義と出力表処理定義を取り出す出力項目処理情報取得手段と、
前記カーソル定義情報取得手段で取得された情報からカーソル定義文を生成するカーソル定義文生成手段であって、入力表項目定義のうちセレクト項目定義内に指定された項目名だけを抜き出し、生成するプログラミング言語の構文に従った形式でセレクト項目列を生成し、入力表項目定義内に指定された入力表のうち、セレクト項目定義で使用されている入力表の名前だけを抜き出し、生成するプログラミング言語の構文に従った形式でセレクト表列を生成し、セレクト条件定義を、生成するプログラミング言語の構文に従った形式に加工してセレクト条件文を生成し、セレクト項目列挿入位置、入力表列挿入位置およびセレクト条件挿入位置を持つ、生成するプログラミング言語に依存したカーソル定義スケルトンの該当挿入位置に、前記生成したセレクト項目列、セレクト表列およびセレクト条件を挿入してカーソル定義文を生成するカーソル定義文生成手段と、
前記出力項目処理情報取得手段で取得された出力表項目定義のうち、処理種別が挿入である出力表に対応するものから作業変数定義文を生成する作業変数定義文生成手段であって、処理種別が挿入である出力表について、その出力表のレコード型を定義する型定義文を生成し、その定義された型で作業領域変数を定義する変数定義文を生成し、型定義文挿入位置および変数定義文挿入位置を持つ作業変数定義スケルトンの該当挿入位置に、前記生成した型定義文および変数定義文を挿入して作業変数定義文を生成する作業変数定義文生成手段と、
前記出力項目処理情報取得手段で取得された出力表項目定義と出力表処理定義から、処理種別が挿入の場合は処理条件文と項目計算文と挿入文とを含む出力処理文を生成し、処理種別が更新の場合には処理条件文と更新文とを含む出力処理文を生成し、処理種別が削除の場合には処理条件文と削除文とを含む出力処理文を生成する出力処理文生成手段であって、出力表処理定義の処理条件から処理条件文を生成し、出力表処理定義の処理種別が挿入、更新、削除の何れであるかを判別し、処理種別が挿入の場合、出力表処理定義の各項目の処理式から項目計算文を生成し、出力表項目定義から出力表名、項目名リストおよび変数名リストを含む挿入文を生成し、処理条件文挿入位置、項目計算文挿入位置および出力文挿入位置を持つ出力処理文スケルトンの処理条件文挿入位置に前記生成した処理条件文を、項目計算文挿入位置に前記生成した項目計算文を、出力文挿入位置に前記生成した挿入文をそれぞれ挿入して出力処理文を生成し、処理種別が更新の場合、出力表処理定義の各項目の処理式と出力表項目定義とから出力表名、更新文リストおよび更新条件を含む更新文を生成し、前記出力処理文スケルトンの処理条件文挿入位置に前記生成した処理条件文を、出力文挿入位置に前記生成した更新文をそれぞれ挿入して出力処理文を生成し、処理種別が削除の場合、出力表項目定義から出力表名および削除条件を含む削除文を生成し、前記出力処理文スケルトンの処理条件文挿入位置に前記生成した処理条件文を、出力文挿入位置に前記生成した削除文をそれぞれ挿入して出力処理文を生成する出力処理文生成手段と、
前記プログラムスケルトンライブラリから利用者の指定した１つのプログラムスケルトンを選択するプログラムスケルトン選択手段と、
前記データ処理プログラムのうち、前記プログラムスケルトン選択手段で選択されたプログラムスケルトンの該当挿入位置に、前記プログラムスケルトンカスタマイズ情報取得手段で取得したプログラム名とプログラムカスタマイズ情報と、前記カーソル定義文生成手段で生成したカーソル定義文と、前記作業変数定義文生成手段で生成した作業変数定義文と、前記出力処理文生成手段で生成した出力処理文とを挿入することによってプログラムを完成させ、出力するプログラム自動合成手段とを有する。